(57)【要約】    【課題】構造物の開口部を閉塞する堰を簡単な操作で敷設することができ、しかも高い止水能力を有する開口止水装置を提供する。      【解決手段】この発明の開口止水装置１０は、開口３から液物が流入することを防止する堰５０を、注入された液物により膨らみ伸張する弾性体のチューブ体１１と、このチューブ体１１を構造物の開口３を形成する柱体４，５間あるいは壁体間に位置決め支承させる支承手段２０とにより構成した。【選択図】  図８
2006009506.tif 000002
【特許請求の範囲】
【請求項１】
構造物に形成された開口に、液物の流入を阻止する堰を形成するようにした開口止水装置において、
前記堰は、注入された液物により膨らみ伸張する弾性体のチューブ体と、該チューブ体を前記構造物の開口を形成する柱体間あるいは壁体間に位置決め支承させる支承手段とを少なくとも備えたことを特徴とする開口止水装置。
【請求項２】
前記チューブ体は、注入された液物により膨らみ伸張すると略円柱体形状になることを特徴とする請求項１に記載の開口止水装置。
【請求項３】
前記チューブ体は両端にそれぞれ端末手段が配設されていることを特徴とする請求項１に記載の開口止水装置。
【請求項４】
前記端末手段は、液物注入口、エアー抜き口、および液物の排出口と、該排出口を密封する封止ネジとを少なくとも備えた略円筒形のカプラーからなることを特徴とする請求項３に記載の開口止水装置。
【請求項５】
前記支承手段は、前記チューブ体に嵌挿する一対の連結金具と、前記構造物の開口を形成する柱体あるいは壁体に固着され、前記連結金具と連結する一対の取付金具とからなることを特徴とする請求項１に記載の開口止水装置。
【請求項６】
前記連結金具は前記取付金具に対して回動不可能に連結されることを特徴とする請求項５に記載の開口止水装置。
【請求項７】
前記連結金具は前記取付金具に対して回動自在に連結されることを特徴とする請求項６に記載の開口止水装置。
【請求項８】
前記支承手段は、離着自由なテープからなる貼着手段を介し柱体あるいは壁体に固着される板状の固定ブロックと、該固定ブロックに離着自由なテープからなる貼着手段介して位置決め固定され、前記弾性体のチューブ体を位置決め支承する位置決めブロックと、該位置決めブロックに前記弾性体のチューブ体を固定する離着自由なテープからなる固定手段とからなることを特徴とする請求項１に記載の開口止水装置。
【請求項９】
前記位置決めブロックには、前記弾性体のチューブ体を嵌挿する円弧状の切り欠が形成されていることを特徴とする請求項８に記載の開口止水装置。
【請求項１０】
前記切り欠の周面には弾性体からなるクッション部材が貼着されていることを特徴とする請求項９に記載の開口止水装置。
【請求項１１】
前記離着自由なテープからなる固定手段は、前記位置決めブロック及び前記弾性体のチューブ体を巻回して該弾性体のチューブ体を前記位置決めブロックに位置決め固定することを特徴とする請求項８に記載の開口止水装置。
【請求項１２】
前記固定ブロック及び位置決めブロックは樹脂により形成されていることを特徴とする請求項８に記載の開口止水装置。
【請求項１３】
前記構造物の開口を形成する柱体間あるいは壁体間であって、前記チューブ体と前記支承手段が配置される路上には弾性体の止水シートが配設されることを特徴とする請求項１に記載の開口止水装置。
【発明の詳細な説明】
【技術分野】
【０００１】
この発明は、地下構造物の入り口等を構成する開口から水あるいは土砂等の流体物が浸入することを可及的に防止するようにした開口止水装置に関し、特にその止水能力を向上させるとともに、その敷設性を向上させるようにした開口止水装置の改良に関する。
【背景技術】
【０００２】
一般に台風等の自然災害の際に発生する大雨、あるいは土砂が、地下鉄、地下通路、あるいは地下駐車場等の構造物の入り口を構成する開口から侵入することを防止する開口止水装置として、従来から土嚢を主要構成要素とする堰が用いられている。
【０００３】
この従来の土嚢を構成要素とした堰からなる止水装置は、図２６で示すように、土嚢袋内に土、あるいは砂等の充填物を次々と入れて土嚢１を作製し、この土嚢１を構造物２の開口３を形成する柱体４，５間に沿って隙間なく多数個積載し、これにより当該開口３に堰６を築いたものである。
【０００４】
このように構造物２の開口３に土嚢１を多数個並設して堰６を築くと、水、あるいは土砂等（矢印Ａ）が開口３に押し寄せても土嚢１からなる堰６によりその進入が停止され、これにより構造物２内への水、あるいは土砂等（矢印Ａ）の進入が可及的に阻止されることとなる。
【発明の開示】
【発明が解決しようとする課題】
【０００５】
ところで、上述した土嚢１により堰６を築く従来の開口止水装置によると、まず堰６を築くための土嚢１を複数個作製するのに当たり、土嚢袋内に土等の内容物を充填する作業は極めて困難な作業であるばかりでなく、またその土嚢１を開口３に沿って多数個併設して堰６を築く作業も煩雑で困難な作業である。
【０００６】
さらに、図２７で示すように、圧力の高い水、あるいは土砂等（矢印Ａ）が急激に土嚢１からなる堰６に押し寄せると、併設された多数の土嚢１のうち構造的に弱い部部の土嚢１間（矢印Ｂ）が離間し、このため堰６が決壊して、そこから水、あるいは土砂等（矢印Ａ）が構造物２の内部に進入してしまう難点がある。
【０００７】
この発明は、上述した事情に鑑み、構造物の開口部を閉塞する堰を簡単な操作で敷設することができ、しかも高い止水能力を有する開口止水装置を提供することを目的とする。
【課題を解決するための手段】
【０００８】
上述した課題を解決するため、この発明の開口止水装置では、開口に形成され止水機能を発揮する堰を、注入された液物により膨らみ伸張する弾性体のチューブ体と、このチューブ体を構造物の開口を形成する柱体間あるいは壁体間に支承させる支承手段とから構成するようにしている。
【発明の効果】
【０００９】
上述した、本願発明に係る開口封止装置によると、開口に堰を形成する場合は、チューブ体を伸ばして開口を覆うように配置するとともに、支承手段によりチューブ体を開口を形成する柱体間あるいは壁体間に支承させ、その後、当該チューブ体に水道水等の液物を注入してチューブ体を伸張させる簡単な操作で、当該チューブ体が膨張し、かつ伸張して開口を塞ぐ堰となるので、簡単な作業及び操作で開口に堰を築くことができる。
【００１０】
またチューブ体が弾性体で形成されているので、圧力の高い水、あるいは土砂等が急激にチューブ体からなる堰に押し寄せても、当該チューブ体がその弾性力により変形してその圧力を吸収するので、当該堰が決壊する虞を可及的に防止すし、高い止水能力を有する開口止水装置を提供することができる。  
【発明を実施するための最良の形態】
【００１１】
以下、この発明に係る開口止水装置の一実施例を詳述する。
【００１２】
図１は、この発明に係る開口止水装置１０を示す正面図で、特に折り畳んで収納した状態を示している。
【００１３】
この開口止水装置１０は、収納状態では、折りたたまれて小型コンパクトに収容することのできるチューブ体１１と、このチューブ体１１を後述する構造物の開口を形成する柱体間あるいは壁体間に位置決め支承させる支承手段２０とから構成されている。なお、前記チューブ体１１は、塩化ビニール、あるいは強化ナイロン等の合成樹脂を主要構成要素とする弾性体のチューブで形成されており、内部に水道水等の液物が充填されると膨張し、全体が円柱体形状となるように構成されている。
【００１４】
一方、前記チューブ体１１の両端には、当該チューブ体１１の両端をそれぞれ密封する端末手段１２，１３が配設されている。
【００１５】
この端末手段１２，１３は硬質の樹脂で形成された略円筒形のカプラー１４により形成され、その外周面には液物注入口１５とエアー抜き口１６とが形成されている。また図１の上面図で示す図２のように、カプラー１４の側面にはチューブ体１１の内部に充填された液物を排出する排出口１７が形成され、この排出口１７は封止ネジ１８で常時は密封されている。
【００１６】
一方、前記支承手段２０は、図１で示すように、前記チューブ体１１に予め嵌挿した一対の連結金具２１，２２と、後述する構造物の開口を形成する柱あるいは壁体に固着され、前記一対の連結金具２１，２２と連結する接続金具とから構成されている。
【００１７】
このうち、前記連結金具２１，２２は、図２に示すように、ステンレス等の材質からなる略矩形状の板材２３により形成され、その中心部には、前記チューブ体１１及び前記端末装置１２，１３を構成するカプラー１４を嵌挿させるための円形の孔２４が形成され、さらにカプラー１４の外周面に突設された前記液物注入口１５とエアー抜き口１６を避けるための矩形状の切り欠２５が形成されている。また、板材２３の周面所定位置には開口止水装置１０を容易に持ち運べるよう取っ手２６が突設されている。
【００１８】
一方、上述した支承手段２０の連結金具２１，２２を構成する板材２３の後端には、後述する接続金具と連結する断面Ｌ字形上の連結部２７が形成されている。
【００１９】
次に、上述した開口止水装置１０の作用を説明し、併せて構成をより詳細に説明する。
【００２０】
図３の平面図で示すように、構造物２の開口３を形成する柱体４，５の周面下端位置には、それぞれ前述した支承手段２０の他方を構成する接続金具２８，２９が予めボルト等の締着手段を介して固着されている。
【００２１】
なお、この接続金具２８，２９は断面略Ｌ時形状をした一対のプレート３０，３１により構成されている。
【００２２】
次に、堰を築く際は、まず図４で示すように、開口３を形成する柱体４，５間を囲繞するように略コの字形状の止水シート４０を開口３の正面に位置する路面上に配設する。なお、この止水シート４０は、スポンジ状をした合成樹脂からなる弾性体のシートにより構成されている。
【００２３】
次に、図５で示すように、予め前記開口３の柱体４，５間を閉塞するに十分な長さに設定されたチューブ体１１を引き伸ばし、さらにチューブ体１１に嵌挿した一対の連結金具２１，２２の断面Ｌ字形状をした各連結部２７を対応する各接続金具２８，２９に嵌着支承させて連結する。
【００２４】
なお、一対の連結金具２１，２２の各連結部２７を各接続金具２８，２９に嵌着支承させる際は、一方の接続金具２９を代表して説明する図６の斜視図のように、柱体５の下部にボルト等の締着手段を介して固着された一対のプレート３０，３１により形成された断面Ｌ字形状の空間Ｓ内に矢印Ｃで示すように連結金具２２を構成する断面Ｌ字形状の連結部２７を下降させ、これにより図７で示すように連結金具２２の連結部２７を接続金具２９に嵌着支承させる。
【００２５】
その後、図５で示す一方あるいは双方のカプラー１４の外周面に突設された液物注入口１５から液物、例えば水道水を注入すると、図８で示すように、チューブ体１１は、長手方向に膨張及び伸張して円柱体形状となり、これにより構造物２の開口３を形成する柱体４，５間を閉塞する堰５０が形成される。
【００２６】
なお、実施例のチューブ体１１は、具体的には膨張及び伸張すると直径が略３０〜４０ｃｍで長さが６ｍ程度となるが、その直径及び長さはこのサイズに限定されことはなく、目的の堰の高さ及び開口の大きさに応じて各種のサイズを用意することができることはいうまでもない。またチューブ体１１の断面形状は実施例では円形としたが、勿論断面三角、四角、あるいはそれ以上の多角形、あるいは楕円等の形状でも良く、その断面形状は、敷設する場所の地形に応じて各種の形状が考えられることはいうまでもない。
【００２７】
このように弾性体のチューブ体１１内に液物を注入すると、図８のＥ視で示す要部破断拡大面図で示す図９のように、弾性体のチューブ体１１が充填された液物の自重により変形して連結金具２１下部と止水シート４０との間に形成される隙間を可及的に埋めて密封することとなる。
【００２８】
なお図１０の要部断面図で示すように、各連結金具２１，２２に形成された孔２４の内周面２４ａの形状は弾性体からなるチューブ体１１の外周面に損傷を与えないよう、その断面が湾曲して形成されている。
【００２９】
上述した、開口止水装置１０によると、図１１で示すように、圧力の高い水、あるいは土砂等（矢印Ａ）が急激に弾性体のチューブ１１により構成された堰５０に押し寄せても、当該チューブ１１がその弾性力により湾曲変形してその圧力を吸収するので、当該堰５０が決壊する虞を可及的に防止し、高い止水能力を発揮することができる。
【００３０】
なお、上記実施例では、支承手段２０を構成する一対の連結金具２１，２２と取付金具２８，２９に関し、各連結金具２１，２２が取付金具２８，２９に対して回動不可能に固定支持された連結構造を採用するようにしたが、この発明は上記実施例に限定されることなく、連結金具２１，２２が取付金具２８，２９に対して回動支持可能な連結構造とすることも可能である。
【００３１】
即ち、図１２の概念斜視図で示すように、支承手段２０を構成する一方の連結金具２２を代表して説明するように、当該連結金具２２の連結部２７を円筒形の軸６０により構成するとともに、対する取付金具２９を前記軸６０を嵌装支持する環状の軸受部材６１，６２が固着されたＬ字プレート６３により構成し、矢印Ｆで示すように連結金具２２の連結部２７を構成する軸６０を取付金具２９の軸受部材６１，６２内に嵌挿させると、図１３の矢印Ｇで示すように、連結金具１２２が取付金具２９に対し軸６０を中心に回動自在となる。
【００３２】
このように、支承手段２０を構成する連結金具２１，２２が対応する取付金具２８，２９に対して回動可能な連結構造となると、図１４に示す開口止水装置１０の配設状態から、図１５で示すように、圧力の高い水、あるいは土砂等（矢印Ａ）が急激に弾性体のチューブ体１１により構成された堰５０に押し寄せても、当該チューブ体１１がその弾性力により湾曲変形してその圧力を吸収するとともに、連結金具２１，２２も取付金具２８，２９に対してチューブ体１１の変形の度合に応じて矢印の如く回転し、このため支承手段２０を構成する連結金具２１，２２と取付金具２８，２９の双方に過度の応力が集中することを避けて、その損傷を可及的に防止することができる。
【００３３】
なお、上述した連結金具２１，２２の連結部２７を構成する軸６０、および取付金具２８，２９の環状の軸受部材６１，６２の形成位置は、図１４に示すように、柱体４，５の内側に形成しても良いし、また図１６，図１７に示すように、柱体４，５の正面側に形成しても良く、その形成位置は開口３の形状に応じて適宜変更しても良い。
【００３４】
なお、上記各実施例では、支承手段２０を一対の連結金具２１，２２と取付金具２８，２９とにより構成し、この各連結金具２１，２２と取付金具２８，２９とを互いに連結する構造を採用したが、この発明は上記実施例に限定されることなく、たとえば、図１８の概念斜視図で示すように、支承手段２０を、それぞれＡＢＳ等の合成樹脂により形成された位置決めブロック７０と、この位置決めブロック７０を柱体４，５に位置決め固定するこれもＡＢＳ等の合成樹脂により形成された板状の固定ブロック７１と、この固定ブロック７１及び位置決めブロック７０をそれぞれ柱体４，５に固着する工業用マジックテープ（登録商標）７２からなる貼着手段７３、および位置決めブロック７０内に位置決めされた弾性体のチューブ体を位置決め固定する一端固定の工業用マジックテープ（登録商標）７４からなる固定手段７５とから構成するようにしても良い。
【００３５】
なお、上述したマジックテープ（登録商標）とは、パイルを使用した離着自由なテープを示している。
【００３６】
このうち、位置決めブロック７０は、周面にチューブ体１１を嵌挿する円弧形状の切り欠７０ａが形成され、その表面にはチューブ体１１の損傷を防止するためスポンジ状の弾性体からなるクッション部材７０ｂが貼着されている。
【００３７】
上述した支承手段２０によると、まず図１９で示すように、各柱体４，５の所定位置に予め固着された各工業用マジックテープ（登録商標）７２を介して固定ブロック７１を貼着し、その後、図２０で示すように止水シート４０を路面上に配設する。
【００３８】
その後、図２１で示すように、この固定ブロック７１に工業用マジックテープ（登録商標）７２を介して位置決めブロック７０を位置決め固定し、さらに、この位置決めブロック７０の切り欠７０ａ内にチューブ体１１を矢印の如く嵌挿する。
【００３９】
その後、図２２の要部断面図で示すように、工業用マジックテープ（登録商標）７４からなる固定手段７５をチューブ体１１に巻回させ、その自由端７４ａを位置決めブロック７０上面に形成された取り付け凹部７０ｃ内の工業用マジックテープ（登録商標）７４に貼着固定する。
【００４０】
その後、前述した図５で示す一方あるいは双方のカプラー１４の外周面に突設された液物注入口１５から液物、例えば水道水を注入すると、図２３で示すように、チューブ体１１は、工業用マジックテープ（登録商標）７４からなる固定手段７５により位置決めブロック７０の切り欠７０ａ内に位置決め固定されつつ、直径及び長手方向に膨張及び伸張して円柱体形状となって当該位置決めブロック７０内に位置決め支承され、これにより図２４で示すように、構造物２の開口３を形成する柱体４，５間を閉塞する堰５０が形成される。
【００４１】
従って、この実施例の開口止水装置１０によっても、図２５で示すように、圧力の高い水、あるいは土砂等（矢印Ａ）が急激に弾性体のチューブ１１により構成された堰５０に押し寄せても、当該チューブ１１がその弾性力により湾曲変形してその圧力を吸収するので、当該堰５０が決壊する虞を可及的に防止し、高い止水能力を発揮することができる。
【００４２】
なお、上記各実施例では、図４で示すように、予め開口３を形成する柱体４，５間を囲繞するように略コの字形状の止水シート４０を開口３の正面に位置する路面上に配設するようにしたが、この止水シート４０は必ずしも必要ではなく、開口３の正面を構成する路面の表面粗さが小さければ、チューブ体１１の路面に対する密着力により十分止水能力を発揮することができ、この場合は止水シート４０は不要である。
【産業上の利用可能性】
【００４３】
以上説明したように、この発明は、特にその止水能力を向上させるとともに、その敷設性を向上させるようにした開口止水装置に適している。    
【図面の簡単な説明】
【００４４】
【図１】図１はこの発明に係る開口止水装置の正面図。
【図２】図２は図１の平面図。
【図３】図３はこの発明に係る開口止水装置の配設手順を示す図。
【図４】図４はこの発明に係る開口止水装置の配設手順を示す図。
【図５】図５はこの発明に係る開口止水装置の配設手順を示す図。
【図６】図６は支承手段の取り付け手順を示す要部概念斜視図。
【図７】図７は支承手段の取り付け手順を示す要部概念斜視図。
【図８】図８はこの発明に係る開口止水装置を配設した状態を示す図。
【図９】図９は図８のＥ視による要部破断拡大図。
【図１０】図１０は連結金具の拡大断面図。
【図１１】図１１はこの発明に係る開口止水装置の作用を示す平面図。
【図１２】図１２は支承手段の他の実施例を示す概念斜視図。
【図１３】図１３は支承手段の他の実施例を示す概念斜視図。
【図１４】図１４はこの発明に係る開口止水装置の他の実施例を示す平面図。
【図１５】図１５はこの発明に係る開口止水装置の他の実施例の作用を示す平面図。
【図１６】図１６はこの発明に係る開口止水装置のさらに他の実施例を示す平面図。
【図１７】図１７はこの発明に係る開口止水装置の他の実施例の作用を示す平面図。
【図１８】図１８は支承手段のさらに他の実施例を示す概念斜視図。
【図１９】図１９は支承手段のさらに他の実施例の組み立て順序を示す概念斜視図。
【図２０】図２０は支承手段のさらに他の実施例の組み立て順序を示す概念斜視図。
【図２１】図２１は支承手段のさらに他の実施例の組み立て順序を示す概念斜視図。
【図２２】図２２は支承手段のさらに他の実施例の組み立て順序を示す概念断面図。
【図２３】図２３は支承手段のさらに他の実施例の組み立て順序を示す概念断面図。
【図２４】図２４は支承手段のさらに他の実施例の作用を示す図。
【図２５】図２４は支承手段のさらに他の実施例の作用を示す図。
【図２６】図２６は従来の開口止水装置を示す平面図。
【図２７】図２７は従来の開口止水装置の問題点を示す平面図。
【符号の説明】
【００４５】
２…構造物
３…開口
４，５…柱体
１０…開口止水装置
１１…チューブ体
１２，１３…端末手段
１４…カプラー
１５…液物注入口
１６…エアー抜き口
１７…排出口
１８…封止ネジ
２０…支承手段
２１，２２…連結金具
２８，２９…取付金具
４０…止水シート
５０…堰
７０…位置決めブロック
７０ａ…円弧状の切り欠
７０ｂ…弾性体からなるクッション部材
７１…板状の固定ブロック
７２，７４…離着自由なテープ
７３…貼着手段
７５…固定手段
【図１】
2006009506.tif 000003
【図２】
2006009506.tif 000004
【図３】
2006009506.tif 000005
【図４】
2006009506.tif 000006
【図５】
2006009506.tif 000007
【図６】
2006009506.tif 000008
【図７】
2006009506.tif 000009
【図８】
2006009506.tif 000010
【図９】
2006009506.tif 000011
【図１０】
2006009506.tif 000012
【図１１】
2006009506.tif 000013
【図１２】
2006009506.tif 000014
【図１３】
2006009506.tif 000015
【図１４】
2006009506.tif 000016
【図１５】
2006009506.tif 000017
【図１６】
2006009506.tif 000018
【図１７】
2006009506.tif 000019
【図１８】
2006009506.tif 000020
【図１９】
2006009506.tif 000021
【図２０】
2006009506.tif 000022
【図２１】
2006009506.tif 000023
【図２２】
2006009506.tif 000024
【図２３】
2006009506.tif 000025
【図２４】
2006009506.tif 000026
【図２５】
2006009506.tif 000027
【図２６】
2006009506.tif 000028
【図２７】
2006009506.tif 000029